(57)【要約】【課題】成膜室の変形が生じたり、成膜室の内外で振動が生じたとしても、アライメント機構の動作が影響を受けにくく、しかも軽量な成膜装置が求められていた。【解決手段】真空チャンバと、真空チャンバの外に配置され、真空チャンバの中に配置されたマスクと基板の相対位置を調整するアライメント駆動部（１５）と、真空チャンバの側壁（１Ｓ）の上に配置された脚部（２２）を介して真空チャンバの上に固定された枠体とを備え、枠体は真空チャンバの側壁と平行な複数の梁（２３、２４、２５）を有し、複数の梁に固定されて真空チャンバの天板から間隔をおいて支持された支持板（２１）に、アライメント駆動部（１５）が固定されている成膜装置（１００）である。【選択図】図２
2020076123.tif 000002
【特許請求の範囲】
【請求項１】
真空チャンバと、
前記真空チャンバの外に配置され、前記真空チャンバの中に配置されたマスクと基板の相対位置を調整するアライメント駆動部と、
前記真空チャンバの側壁の上に配置された脚部を介して前記真空チャンバの上に固定された枠体と、を備え、
前記枠体は、前記真空チャンバの側壁と平行な複数の梁を有し、
前記複数の梁に固定されて前記真空チャンバの天板から間隔をおいて支持された支持板に、前記アライメント駆動部は固定されている、
ことを特徴とする成膜装置。
【請求項２】
前記枠体は、前記真空チャンバの側壁と平行な複数の梁が接続された梯子形の枠体である、
ことを特徴とする請求項１に記載の成膜装置。
【請求項３】
前記枠体が有する複数の梁は、長手方向と直交する方向で切った断面がＨ字形もしくはＩ字形の梁である、
ことを特徴とする請求項１または２に記載の成膜装置。
【請求項４】
前記アライメント駆動部と前記支持板と前記枠体よりなる組が、前記真空チャンバの上に２組配置されている、
ことを特徴とする請求項１乃至３のいずれか１項に記載の成膜装置。
【請求項５】
前記アライメント駆動部は、前記マスクを支持するマスク支持部と前記基板を支持する基板支持部の相対位置を調整する、
ことを特徴とする請求項１乃至４のいずれか１項に記載の成膜装置。
【請求項６】
前記支持板には、前記マスクと前記基板のアライメントマークを撮像するためのアライメントカメラが固定されている、
ことを特徴とする請求項１乃至５のいずれか１項に記載の成膜装置。
【請求項７】
前記支持板には、前記アライメントカメラが前記マスクと前記基板のアライメントマークを撮像するための窓が設けられている、
ことを特徴とする請求項６に記載の成膜装置。
【請求項８】
請求項１乃至７の中のいずれか１項に記載の成膜装置を複数台備える、
ことを特徴とする製造システム。
【請求項９】
請求項１乃至７の中のいずれか１項に記載の成膜装置を複数台備え、少なくとも一台の前記成膜装置は有機材料の蒸着源を備える、
ことを特徴とする有機ＥＬパネルの製造システム。
【請求項１０】
請求項９に記載の有機ＥＬパネルの製造システムを用いて有機ＥＬパネルを製造する、
ことを特徴とする有機ＥＬパネルの製造方法。
【発明の詳細な説明】
【技術分野】
【０００１】
本発明は、成膜装置、製造システム、有機ＥＬパネルの製造システムに関する。特に、真空チャンバと、基板とマスクのアライメント機構とを備えた成膜装置に関する。
【背景技術】
【０００２】
近年、自発光型で、視野角、コントラスト、応答速度に優れた有機ＥＬ素子は、壁掛けテレビをはじめとする種々の表示装置に盛んに応用されている。
有機ＥＬ素子の製造は、減圧されたチャンバ内に基板を搬入し、基板とマスクを高精度に位置合わせ（アライメント）し、所定パターンの有機膜をマスク越しに基板上に成膜する方法で行われることが多い。
【０００３】
図９は、従来の成膜に用いられていた成膜装置の構成を示す模式的な断面図である。減圧可能な気密容器である成膜室が、外壁１１０と、外壁の一部である１１０ａに接合された天板１１０ｂとにより構成され、成膜室内には、基板１１１、成膜用マスク１１３、有機材料の蒸着源１１６が配置されている。基板１１１は、基板支持体１１２により両側（又は、４辺）から支持され、成膜用マスク１１３は、マスク支持体１１４により両側（又は、４辺）から支持されている。基板支持体１１２およびマスク支持体１１４の各軸は、不図示の金属ベローズを介して気密性が確保された状態で上下動が可能に大気側に連通している。
【０００４】
天板１１０ｂ上の大気側には、アライメント機構１１５とアライメントカメラ１３２が設置されている。アライメントカメラ１３２は、天板１１０ｂに設けられた気密窓１３３を通して真空チャンバ内の基板１１１と成膜用マスク１１３のアライメントマークを撮影する。アライメント機構１１５は、アライメントカメラ１３２の撮影結果に基づいて、基板１１１と成膜用マスク１１３の位置合わせ（アライメント）を行うための機構である。
【０００５】
最近では、有機ＥＬ素子を用いた表示装置が大画面化や高精細化しているため、大面積の基板に高いパターニング精度で有機膜を成膜することが可能な成膜装置が求められている。大面積の基板を扱う成膜装置においては、従来よりも成膜室の容積を大きくする必要があるが、内外の圧力差によって成膜室の天井や壁面が変形しやすくなる。この変形により、アライメント機構１１５やアライメントカメラ１３２の位置に変位が生じると、基板１１１と成膜用マスク１１３は相対位置ずれを引き起こし易くなる。例えば、アライメントカメラ１３２の光軸のずれや、アライメント機構１１５の動作の再現性の低下が生じ、基板１１１と成膜用マスク１１３の位置合わせ精度が低下するのである。
基板１１１と成膜用マスク１１３の位置合わせ精度が低下すると、有機膜のパターニング精度が低下し、所望の画質の有機ＥＬ素子を高い歩留まりで量産できない可能性がある。
【０００６】
そこで、成膜室の外壁と天板の厚さを大きくすれば圧力差による変形を抑制できる可能性があるが、装置重量が大きくなってしまい、装置の製造コストや輸送費が増大し、更には成膜装置を設置する建屋の床面荷重が大きくなってしまう。これは、有機ＥＬ素子の製造設備のトータルコストの増大を招くことになる。
【０００７】
特許文献１には、成膜室の天板の上に、天板とは離間した支持板を設け、支持板の少なくとも一部に振動を熱エネルギーに変換する制振材料を用いた成膜装置が開示されている。この装置では、アライメント機構はこの支持板に載置されている。
この構成により、成膜装置内外の圧力差により天板が変形したとしても支持板は天板と離間しており、振動が熱エネルギーに変換されるようになり、変形や振動がアライメント機構の動作に及ぼす影響を軽減することができる。
【先行技術文献】
【特許文献】
【０００８】
【特許文献１】特開２０１２−３３４６８号公報
【発明の概要】
【発明が解決しようとする課題】
【０００９】
しかしながら、成膜装置のアライメント機構には、圧力差による天板の変形や振動だけでなく種々の原因による振動が伝わる可能性があるが、特許文献１に記載された装置では、アライメント機構の動作への影響を十分に抑制しきれない可能性がある。支持板の材料の制振性のみでは、チャンバ内外から伝達される振動の影響を吸収しきれない場合が有り得るからである。振動を熱エネルギーに変換する支持板の厚みを大きくして制震性を向上させようとすると、装置重量が大きくなってしまい、装置の製造コストや輸送費が増大し、さらには成膜装置を設置する建屋の床面荷重も大きくなってしまう。これは、有機ＥＬ素子の製造設備のトータルコストの増大を招くことになる。
【００１０】
そこで、成膜室の変形が生じたり、成膜室の内外で振動が生じたとしても、アライメント機構の動作が影響を受けにくく、しかも軽量な成膜装置が求められていた。
【課題を解決するための手段】
【００１１】
本発明は、真空チャンバと、前記真空チャンバの外に配置され、前記真空チャンバの中に配置されたマスクと基板の相対位置を調整するアライメント駆動部と、前記真空チャンバの側壁の上に配置された脚部を介して前記真空チャンバの上に固定された枠体と、を備え、前記枠体は、前記真空チャンバの側壁と平行な複数の梁を有し、前記複数の梁に固定されて前記真空チャンバの天板から間隔をおいて支持された支持板に、前記アライメント駆動部は固定されている、ことを特徴とする成膜装置である。
【発明の効果】
【００１２】
本発明によれば、成膜室の変形が生じたり、成膜室の内外で振動が生じたとしても、アライメント機構の動作が影響を受けにくく、しかも軽量な成膜装置を提供することができる。
【図面の簡単な説明】
【００１３】
【図１】実施形態１及び実施形態２の成膜装置の模式的な概観斜視図。
【図２】実施形態１及び実施形態２の成膜装置の模式的な上面図。
【図３】実施形態１の成膜装置の模式的な断面図。
【図４】実施形態１及び実施形態２の成膜装置の模式的な断面図。
【図５】実施形態１及び実施形態２の枠体の模式的な上面図。
【図６】（ａ）実施形態１の梁２５の断面図。（ｂ）実施形態１の梁２３の断面図。（ｃ）実施形態２の梁２５の断面図。（ｄ）実施形態２の梁２３の断面図。
【図７】実施形態２の成膜装置の模式的な断面図。
【図８】実施形態３の製造システムの模式的な構成図。
【図９】従来の成膜装置の模式的な断面図。
【発明を実施するための形態】
【００１４】
本発明の実施形態である成膜装置及び製造システムについて、図面を参照して説明する。尚、以下の説明で参照する複数の図面では、特に但し書きがない限り、同一の機能の構成要素については同一の番号を付して示すものとする。
【００１５】
［実施形態１］
（成膜装置の構成）
実施形態１の成膜装置の構成について、複数の図面を参照して説明する。成膜装置１００に関し、図１は模式的な概観斜視図、図２は模式的な上面図、図３および図４は模式的な断面図である。尚、図３は、図１におけるＹＺ面と平行なＣ１面で装置を切った断面図、あるいは図２のＣ１−Ｃ１線に沿って装置を切った断面図である。また、図４は、図２のＣ２−Ｃ２線に沿って装置を切った断面図である。
【００１６】
成膜装置１００は、成膜室の外囲器としての真空チャンバ１を備え、真空チャンバ１の内部は不図示の真空ポンプにより、例えば１０−３Ｐａ以下の圧力領域まで減圧可能である。図１に示すように、真空チャンバ１は、典型的には概略形状が六面体であり、図３に示すように、底板１Ｂと４面の側壁１Ｓと天板１Ｒが接合された気密容器である。４面の側壁１Ｓは、ＸＺ面に平行な２つの側壁と、ＹＺ面に平行な２つの側壁を備えている。天板１Ｒは、図３に示すように中央側と側壁側の板材を接合して構成したものでもよいし、単一の板材で構成してよい。
【００１７】
図１、図２、図４に示すように、成膜装置１００は、Ｘ方向に沿って並んで配置された２台の蒸着ステージを備えている。実施形態の成膜装置では、一方の蒸着ステージで蒸着を行う間に、他方の蒸着ステージで基板の交換とアライメントを行うことができる。
【００１８】
図３を参照して、蒸着ステージの構造を説明する。蒸着ステージには、真空チャンバ１内に下から順にマスク１３、基板１１が配置され、基板１１の上には不図示のマグネット板が配置されている。
【００１９】
マスク１３は、パターニングのための開口を有する薄板形状の部材で、特に大型基板向けには、インバー等で剛性の高い枠部材に囲まれた領域に薄膜のマスクを形成した形態のマスクが用いられることが多い。マスク１３は、マスク支持部１４の対により両側（又は、４辺）から支持されている。
【００２０】
基板１１としては、製造しようとする対象製品により、ガラス基板あるいはプラスチック基板等が適宜に選択して用いられる。基板１１は、基板支持部１２の対により両側（又は、４辺）から支持されている。
マスク支持部１４の軸と基板支持部１２の軸は、各々不図示の金属ベローズを介して気密性が確保された状態で上下動が可能に大気側に連通している。
【００２１】
１５は、真空チャンバ上に設けられたアライメント駆動部である。本実施形態では、基板１１とマスク１３をアライメントする時には、アライメント駆動部１５が基板支持部１２を移動させ、基板１１をＸ軸方向移動、Ｙ軸方向移動、およびθ回転させて、マスク１３との相対位置合わせを行う。
【００２２】
真空チャンバ上には、アライメントカメラ３２が設けられている。アライメントカメラ３２は、基板１１とマスク１３の各々に設けられたアライメントマークを、天板１Ｒに設けられた気密窓３３及び支持板２１に設けられた窓（開口穴）を通じて撮像可能である。アライメント駆動部１５は、アライメントカメラ３２の撮像結果に基づき基板１１とマスク１３の位置合わせを行う。すなわち、図３に示すように、基板１１とマスク１３が離間している状態で基板１１とマスク１３にそれぞれ形成されたアライメントマークの相対的な位置関係を調整する。
【００２３】
真空チャンバ内には蒸着源装置１６が配置されており、蒸着源装置１６の内部には成膜材料である有機材料が貯留され、有機材料は制御されたヒータによって加熱されて所定のレートで蒸発あるいは昇華する。蒸着源装置１６の上面には、気化した有機材料を基板に向けて放出するための開口部と、必要に応じて開口部を遮蔽するためのシャッターが設けられている。
【００２４】
蒸着源装置１６は、不図示のＸ軸スライド機構とＹ軸スライド機構によってＸ方向及びＹ方向に移動可能である。蒸着源装置１６はＸ軸スライド機構により、二つの蒸着ステージのどちらの側にも移動できる。
また、蒸着源装置１６は、各蒸着ステージにおいて、Ｙ軸スライド機構により基板１１に沿ってＹ方向に往復走査が可能で、基板１１上に均一性の高い膜を成膜することができる。
【００２５】
（アライメント駆動部の支持構造）
次に、実施形態１の成膜装置の特徴的部分として、アライメント駆動部１５を支持している支持構造について説明する。図５は、支持構造を抽出して示した模式的な平面図である。
【００２６】
図３に示すように、本実施形態では、アライメント駆動部１５とアライメントカメラ３２は、真空チャンバの天板１Ｒに直接支持されるのではなく、天板１Ｒと間隔をおいて設置された支持板２１に固定されている。図５に示すように、支持板２１は、Ｘ方向に伸びる梁２３およびＹ方向に伸びる梁２５に囲まれ、これらに固定されている。すなわち、支持板２１は、真空チャンバの各側壁と平行な２本の梁２３および２本の梁２５に固定されている。梁２３の両端は梁２５に接続されており、梁２３と梁２５は梯子形の枠体を構成して支持板２１を囲んで固定している。枠体は、強度を大きくするためにＸ方向に伸びる一対の梁２４を更に備え、梁２４の端部と梁２５の端部は接合されている。すなわち、梁２３、梁２４、梁２５は接合され、支持板２１を固定する枠体を構成している。各梁には剛性が高い部材が用いられ、具体的には、長手方向と直交する方向で切った断面形状がＨ字形のＨ型鋼や、Ｉ字形のＩ型鋼など、断面係数の大きな金属部材が好適に用いられる。梯子形の枠体を構成する梁２５及び梁２３を、図５のＣ３−Ｃ３線及びＣ４−Ｃ４線で切った断面形状を、図６（ａ）及び図６（ｂ）に示す。本実施形態では、梁２５及び梁２３には、断面形状がＩ字形のＩ型鋼を用いている。また、梁２４にも、同様のＩ型鋼を用いている。
【００２７】
図１に示すように、枠体の外縁のうちの３辺、すなわち２本の梁２４と１本の梁２５は、真空チャンバ１の側壁１Ｓの上に位置するよう配置されている。図１、図３に示すように、枠体は、真空チャンバ１の側壁１Ｓの上に配置された脚部２２を介して、真空チャンバ１の上に固定されている。枠体は、少なくとも四隅の端部を脚部２２により真空チャンバ１の側壁１Ｓに固定するが、本実施形態では固定強度を高めるため、更に梁２４の中央部も脚部２２を介して真空チャンバ１の側壁１Ｓの上に固定している。脚部の形状や個数、配置位置は、適宜変更することができる。
【００２８】
真空チャンバ１は、内部を減圧した際に内外圧力差により変形や振動を生じる場合があり、特に天板は、大気圧に押されて中央部が鉛直下向きに凹む。本実施形態では、アライメント駆動部１５とアライメントカメラ３２は、真空チャンバの天板１Ｒの中央部に直接支持されるのではなく、天板１Ｒと間隔をおいて設置された支持板２１に固定されている。このため、アライメント駆動部１５やアライメントカメラ３２の位置や姿勢が、天板の変形による影響を直接受けることはない。
【００２９】
そして、本実施形態では、支持板２１は、断面係数の大きな梁２３と梁２５で構成された梯子形の枠体に支持されており、枠体の四隅の端部が、真空チャンバの側壁の上に配置された脚部を介して真空チャンバの上に固定されている。また、枠体には、断面係数の大きな金属部材よりなる梁２４が更に接続されており、梁２４も真空チャンバの側壁の上に脚部を介して固定されている。このように、アライメント駆動部１５やアライメントカメラ３２を固定した支持板２１は、軽量でありながら強固で、外部の変形や振動の影響を受けにくい枠体に支持されている。
【００３０】
このように、本実施形態では、枠体は脚部を介して真空チャンバの側壁の上に脚部を介して固定されているが、側壁の上部は天板１Ｒの外周部と連結されており、この部分は構造的に耐震性が高いと言える。枠体の少なくとも四隅の端部をこの部分に脚部で固定するため、アライメント駆動部１５やアライメントカメラ３２は、特に周波数の小さな振動の影響を受けにくくなる。例えば、自らの蒸着ステージの動作に起因する振動、隣接する蒸着ステージにおける蒸着動作に起因する振動、真空チャンバのドアバルブや排気装置等の各種機器類に起因する振動、装置外から伝わる振動、等の影響を受けにくくなる。そして、本実施形態では、支持板２１を、断面係数の大きな梁２３と梁２５で構成された梯子形の枠体で支持するため、振動に対する強度が大きな構造を極めて軽量に実現することができる。
【００３１】
この結果、本実施形態では、基板とマスクとの位置合わせ誤差を低減できるので、例えば、寸法精度のよい有機化合物層のパターンが形成された有機ＥＬ素子や有機ＥＬ装置を製造することが可能になる。また、カメラで認識するアライメントマークの検出精度の低下を防止でき、リトライ回数が減少し、所定の精度に達成するまでに要する時間を短縮できる。
本実施形態によれば、成膜装置の重量増を抑制しながら、成膜室の変形や成膜室の内外からの振動によるアライメント機構への影響を抑制することができる。
【００３２】
［実施形態２］
実施形態２の成膜装置について説明するが、本実施形態は、アライメント駆動部の支持構造の一部が実施形態１と異なる。実施形態１と共通する部分については、説明を省略する。
図７は、実施形態２の成膜装置の模式的な断面図であり、実施形態１の説明における図３と同様に、図１におけるＹＺ面と平行なＣ１面で装置を切った断面図、あるいは図２のＣ１−Ｃ１線に沿って装置を切った断面図である。
【００３３】
実施形態１では、梁２３、梁２４、及び梁２５に断面形状がＩ字形のＩ型鋼を用いていたが、本実施形態では、図７に示すように各梁に断面形状がＨ字形のＨ型鋼を用いる点が異なる。
梯子形の枠体を構成する梁２５及び梁２３を、図５のＣ３−Ｃ３線及びＣ４−Ｃ４線で切った断面形状を、図６（ｃ）及び図６（ｄ）に示す。本実施形態では、梁２５及び梁２３には、断面形状がＨ字形のＨ型鋼を用いている。また、梁２４にも、同様のＨ型鋼を用いている。
【００３４】
本実施形態においても、アライメント駆動部１５とアライメントカメラ３２は、真空チャンバの天板１Ｒの中央部に直接支持されるのではなく、天板１Ｒと間隔をおいて設置された支持板２１に固定されている。このため、アライメント駆動部１５やアライメントカメラ３２の位置や姿勢が、天板の変形による影響を直接受けることはない。
【００３５】
そして、本実施形態では、支持板２１は、断面係数の大きなＨ型鋼の梁２３と梁２５で構成された梯子形の枠体に支持されており、枠体の端部が、真空チャンバの側壁の上に配置された脚部を介して真空チャンバの上に固定されている。また、枠体は、断面係数の大きなＨ型鋼よりなる梁２４を更に有し、梁２４も真空チャンバの側壁の上に脚部を介して固定されている。すなわち、アライメント駆動部１５やアライメントカメラ３２は、軽量でありながら強固で、外部の変形や振動の影響を受けにくい枠体に支持されている。
【００３６】
本実施形態も、枠体は脚部を介して真空チャンバの側壁の上に脚部を介して固定されているが、側壁の上部は天板１Ｒの外周部と連結されており、この部分は構造的に耐震性が高いと言える。このため、アライメント駆動部１５やアライメントカメラ３２は、特に周波数の小さな振動の影響を受けにくくなる。例えば、自らの蒸着ステージの動作に起因する振動、隣接する蒸着ステージにおける蒸着動作に起因する振動、真空チャンバのドアバルブや排気装置等の各種機器類に起因する振動、装置外から伝わる振動、等の影響を受けにくくなる。そして、本実施形態では、支持板２１を、断面係数の大きな梁２３と梁２５で構成された梯子形の枠体で支持するため、振動に対する強度が大きな構造を極めて軽量に実現することができる。
【００３７】
この結果、本実施形態も、基板とマスクとの位置合わせ誤差を低減できるので、例えば、寸法精度のよい有機化合物層のパターンが形成された有機ＥＬ素子や有機ＥＬ装置を製造することが可能になる。また、カメラで認識するアライメントマークの検出精度の低下を防止でき、リトライ回数が減少し、所定の精度に達成するむまでに要する時間を短縮できる。
本実施形態においても、成膜装置の重量増を抑制しながら、成膜室の変形や成膜室の内外からの振動によるアライメント機構への影響を抑制することができる。
【００３８】
［実施形態３］
次に、本発明を実施した製造システムについて説明する。図８は、本発明を実施した製造システムの模式的な構成図で、有機ＥＬパネルを製造する製造システム３００を例示している。
【００３９】
製造システム３００は、複数台の成膜装置１００、搬送室１１０１、搬送室１１０２、搬送室１１０３、基板供給室１１０５、マスクストック室１１０６、受渡室１１０７、ガラス供給室１１０８、貼合室１１０９、取出室１１１０等を備えている。成膜装置１００は、有機ＥＬパネルの発光層、正孔注入層、正孔輸送層、電子輸送層、電極層等の異なる機能層の成膜に用いられ得るため、成膜装置ごとに成膜材料やマスクなどが相違する場合がある。各成膜装置１００は、実施形態１で説明したように２つの蒸着ステージを備える装置であってもよいし、単一の蒸着ステージを備える装置であってもよい。２つの蒸着ステージを備える場合には、一方の蒸着ステージにおける蒸着が完了するまでの間に、他方の蒸着ステージでは蒸着済の基板の搬出と未蒸着の基板の搬入を行い、基板とマスクとのアライメントを完了させ成膜ポジションにセットすることができる。
【００４０】
基板供給室１１０５には、外部から基板が供給される。搬送室１１０１、搬送室１１０２、搬送室１１０３には、搬送機構であるロボット１１２０が配置されている。ロボット１１２０によって各室間の基板の搬送が行われる。本実施形態の製造システム３００が複数台備える成膜装置１００のうち、少なくとも一台は有機材料の蒸着源を備えている。製造システム３００に含まれる複数の成膜装置１００は、お互いが同一材料を成膜する装置であってもよいし、異なる材料を成膜する装置であってもよい。例えば、各成膜装置において、互いに異なる発光色の有機材料を蒸着してもよい。製造システム３００では、基板供給室１１０５から供給された基板に有機材料を蒸着したり、あるいは金属材料等の無機材料の膜を形成し、有機ＥＬパネルを製造する。
【００４１】
マスクストック室１１０６には、各成膜装置１００にて用いられ、膜が堆積したマスクが、ロボット１１２０によって搬送される。マスクストック室１１０６に搬送されたマスクを回収することで、マスクを洗浄することができる。また、マスクストック室１１０６に洗浄済みのマスクを収納しておき、ロボット１１２０によって成膜装置１００にセットすることもできる。
【００４２】
ガラス供給室１１０８には、外部から封止用のガラス材が供給される。貼合室１１０９において、成膜された基板に封止用のガラス材を貼り合わせることで、有機ＥＬパネルが製造される。製造された有機ＥＬパネルは、取出室１１１０から取り出される。
【００４３】
本製造システムに含まれる成膜装置は、すでに実施形態１及び実施形態２で説明したように、真空チャンバの側壁の上に配置された脚部を介して真空チャンバの上に固定された枠体を備え、枠体は真空チャンバの側壁と平行な複数の梁を有している。そして、アライメント駆動部及びアライメントカメラが固定された支持板が、枠体の複数の梁に固定されており、支持板は真空チャンバの天板から間隔をおいて支持されている。
【００４４】
このため、本製造システムに含まれる成膜装置では、内外圧力差による自身の変形や、隣接する搬送室や成膜装置等から伝達される振動から、アライメント駆動部やアライメントカメラが隔離され、アライメント動作が極めて安定し高速化する。本製造システムでは、大面積基板に高精度に成膜できるため、高画質の有機ＥＬパネルを高い歩留まりで製造することが可能である。しかも、各成膜装置の重量増加は抑制されているため、製造システムの総重量を抑制することができる。このように、本発明は有機ＥＬ素子を製造する製造システムにおいて好適に実施され得るが、それ以外のデバイスを製造するための製造システムにおいて実施してもかまわない。
本実施形態によれば、成膜室の変形が生じたり、成膜室の内外で振動が生じたとしても、アライメント機構の動作が影響を受けにくく、しかも軽量な成膜装置を備えた成膜システムを提供することができる。
【００４５】
［他の実施形態］
尚、本発明は、以上に説明した実施形態に限定されるものではなく、本発明の技術的思想内で多くの変形が可能である。
例えば、枠体を構成する複数の梁は、どの梁も同じ断面形状を有しなければならないわけではない。実施形態１では断面がＩ字形の梁を用い、実施形態２では断面がＨ字形の梁を用いたが、一つの枠をＩ字形とＨ字形の梁を組み合わせて構成してもよい。また、断面係数の大きな部材であれば、断面形状はＩ字形やＨ字形には限らない。
【００４６】
また、アライメント駆動部は、基板支持部を移動させてアライメントを行う機構には限らない。マスク支持部を移動させるものでもよく、あるいは基板支持部とマスク支持部の両方を移動させる機構でもよい。すなわち、マスク１３を所定位置に静置し、基板１１を移動させる構成でも良いし、基板１１を所定位置に静置し、マスク１３を移動させることで位置合わせを行う構成でも良いし、基板１１及びマスク１３の両方を移動させても良い。例えば、基板に比べてマスクの重量が大きい場合には、基板を移動させることでアライメント精度を高められる場合がある。また基板とマスクの両方を移動させて相対的な位置関係を調整することで、アライメント時間を短縮することができる場合がある。このように移動させる物体の選択は、装置の形態や目的に応じて任意に設計することが可能である。
【００４７】
また、基板を支持するための基板支持部、マスクを支持するためのマスク支持部、あるいはアライメント用カメラの配置や個数は、上述した実施形態の例に限られるものではない。基板の大きさや重さ、マスクの大きさや重さ、アライメントマークの数やレイアウト位置等によって、適宜変更することが可能である。
【００４８】
また、実施形態１の成膜装置は蒸着ステージを２台備え、アライメント駆動部と支持板と枠体よりなる組を真空チャンバの上に独立して２組配置したが、蒸着ステージの数は２台に限らず１台あるいは３台以上でもよい。３台以上の場合にも、アライメント駆動部と支持板と枠体からなる組を、蒸着ステージ毎に真空チャンバの上に独立して配置するのが望ましい。
【００４９】
また、１つの蒸着源装置が２つの蒸着ステージ間を移動して交互に蒸着する装置でなくとも、各蒸着ステージが専用の蒸着源装置を備える成膜装置であってもよい。蒸着源装置の形態は、単一の蒸着源であっても、複数の蒸着源を配列したものでもよい。また、成膜室内には蒸着源からの蒸発レートを管理あるいは制御することを目的としたレート管理センサを配置してもよい。また、基板１１に有機材料を成膜する際に、基板１１と蒸着源装置１６との相対位置は、実施形態のように走査する形態であってもよいし、固定した形態であってもよい。
【００５０】
また、実施形態１においては、基板１１の被成膜面を下向きにする目的で、マスク１３を基板１１の下側に配置させているが、成膜物質が基板１１の被成膜面上にパターニングできる配置でありさえすれば、基板とマスクと配置はこれに限らない。例えば、基板１１とマスク１３とを鉛直方向に沿って縦置きにした状態で配置してもよいし、あるいは基板１１の被成膜面を上向きに配置してもよい。
【００５１】
また、本発明は有機ＥＬ素子を構成する有機膜を成膜する装置に好適に実施され得るが、有機ＥＬ素子のそれ以外の膜や、有機ＥＬ素子以外のデバイスの膜を成膜する装置に用いてもかまわない。
【符号の説明】
【００５２】
１・・・真空チャンバ／１Ｂ・・・底板／１Ｓ・・・側壁／１Ｒ・・・天板／１１・・・基板／１２・・・基板支持部／１３・・・マスク／１４・・・マスク支持部／１５・・・アライメント駆動部／１６・・・蒸着源装置／２１・・・支持板／２２・・・脚部／２３、２４、２５・・・梁／３２・・・アライメントカメラ／３３・・・気密窓／１００・・・成膜装置／１１０・・・外壁／１１０ａ・・・外壁の一部／１１０ｂ・・・天板／１１１・・・基板／１１３・・・成膜用マスク／１３２・・・アライメントカメラ／１３３・・・気密窓／３００・・・有機ＥＬパネルを製造する製造システム／１１０１、１１０２、１１０３・・・搬送室／１１０５・・・基板供給室／１１０６・・・マスクストック室／１１０７・・・受渡室／１１０８・・・ガラス供給室／１１０９・・・貼合室／１１１０・・・取出室／１１２０・・・ロボット
【図１】
2020076123.tif 000003
【図２】
2020076123.tif 000004
【図３】
2020076123.tif 000005
【図４】
2020076123.tif 000006
【図５】
2020076123.tif 000007
【図６】
2020076123.tif 000008
【図７】
2020076123.tif 000009
【図８】
2020076123.tif 000010
【図９】
2020076123.tif 000011